(57)【要約】【課題】  各種情報処理装置への入力用のタッチパネルを有する平面入力パネルにおいて、高度なセキュリティ機能を有するセキュリティパネルを実現する。【解決手段】  セキュリティパネル１は、タッチ操作面２０を有するタッチパネル１１と、タッチパネル１１の方向に画像を表示する表示手段１３と、タッチパネル１１と表示手段１３との間に配置され、表示手段１３がタッチパネル１１の方向に表示する画像を遮断可能な切替え遮蔽手段１２と、を備える。【選択図】      図１
2005189991.tif 000002
【特許請求の範囲】
【請求項１】
タッチ操作面を有するタッチパネルと、
前記タッチパネルの方向に画像を表示する表示手段と、
前記タッチパネルと前記表示手段との間に配置され、前記表示手段が前記タッチパネルの方向に表示する画像を遮断可能な切替え遮蔽手段と、を備えることを特徴とするセキュリティパネル。
【請求項２】
前記タッチパネルを介して入力された情報に基づいて認証を判定する認証手段をさらに備える請求項１に記載のセキュリティパネル。
【請求項３】
前記切替え遮蔽手段による前記の遮断動作は、前記認証手段によって認証が得られたとき以外に実行する請求項２に記載のセキュリティパネル。
【請求項４】
前記切替え遮蔽手段による前記の遮蔽動作は、前記切替え遮蔽手段の光の透過率を低下させることによってなされる請求項１〜３のいずれか一項に記載のセキュリティパネル。
【請求項５】
前記切替え遮蔽手段による前記の遮蔽動作は、前記切替遮へい手段が前記表示手段の表示する色と同じ色を呈することによってなされる請求項１〜３のいずれか一項に記載のセキュリティパネル。
【請求項６】
前記切替え遮蔽手段は、該タッチパネルの前記タッチ操作面とは反対側に配置されるハーフミラーと、前記表示手段の前記ハーフミラーとは反対側に配置され、点灯および消灯の制御が可能なバックライトと、を有し、
前記切替え遮蔽手段による前記の遮蔽動作は、前記バックライトを消灯することによってなされる請求項１〜３のいずれか一項に記載のセキュリティパネル。
【請求項７】
前記切替え遮蔽手段による前記の遮断動作は、前記表示手段に対面する前記切替え遮蔽手段の平面上の所定のエリアで実行される請求項１に記載のセキュリティパネル。
【請求項８】
前記切替え遮断手段上に、認証のための前記情報が入力される専用エリアの表示を有する請求項２に記載のセキュリティパネル。
【請求項９】
前記タッチパネル上に、認証のための前記情報が入力される専用エリアを有する請求項２に記載のセキュリティパネル。
【請求項１０】
前記タッチパネルと前記切替え遮蔽手段との間に配置される、認証のための前記情報が入力される専用エリアが示されたアイコンシートをさらに備える請求項２に記載のセキュリティパネル。
【請求項１１】
前記切替え遮蔽手段の異常を検知する検知手段と、
該検知手段が前記切替え遮蔽手段の異常を検知したとき、前記表示手段による画像の表示を禁止する禁止手段と、をさらに備える請求項１に記載のセキュリティパネル。
【請求項１２】
前記タッチパネル、前記切替え遮蔽手段および前記表示手段は相互分離不能に一体形成される請求項１に記載のセキュリティパネル。
【発明の詳細な説明】
【技術分野】
【０００１】
本発明は、各種情報処理装置への入力用のタッチパネルを有する平面入力パネルにおいてセキュリティ機能を持たせたセキュリティパネルに関する。
【背景技術】
【０００２】
コンピュータ等の各種情報処理装置に対する座標入力装置の１つとして平面入力パネルが用いられている。平面入力パネルは、座標入力装置としての機能を有するタッチ操作面が透明もしくは不透明なタッチパネルと、このタッチパネルの背後に設けられ、タッチパネルに向けて画像を表示する表示手段とを有する。ユーザは、平面入力パネルのタッチパネルのタッチ操作面上を指もしくはペン等で押下もしくは接触することでコンピュータに対して座標入力が可能であるとともに、タッチパネルを介して表示手段が表示する画面を閲覧することも可能である。
【０００３】
平面入力パネルは、操作の容易性や座標入力機能と画面表示機能とを同時に有するので、ＰＤＡなどの情報携帯端末、銀行のＡＴＭ、切符の自動券売機や自動精算機など、装置本体に体積的制限がある小型もしくは薄型の情報処理装置や、幅広い世代のユーザに使用される機会を有する情報処理装置に多用されている。
【０００４】
また、近年では、高度な安全性に対する要求や個人ニーズの多様化など社会的な要請から、認証機能を有した情報処理装置を必要とする機会も増加している（例えば、特許文献１参照）。金融分野など各種情報を入力したり閲覧するための端末には高度なセキュリティ機能が要求されている分野では、暗証番号もしくはパスワードの入力による認証、筆跡入力による認証、あるいは指紋もしくは網膜血管といったバイオメトリクス認証なども行われている。
【０００５】
【特許文献１】特開平６−１０３０５７号公報
【発明の開示】
【発明が解決しようとする課題】
【０００６】
上述のような平面入力パネルを備える情報処理装置においてセキュリティ向上のために認証機能を設ける場合、暗証番号もしくはパスワードの入力によるソフトウェア的な認証機能では、暗証番号もしくはパスワードの類推もしくは盗用などによりセキュリティが破られる可能性があるという問題がある。また、指紋もしくは網膜血管といったバイオメトリクス認証機能を実現する場合は、認証のためのハードウェアを外付け装置として実現したりあるいは装置に内蔵させて実現したりしなければならいので、認証装置のためのスペースが必要であり、特に小型もしくは薄型の情報処理装置への適用は難しいという問題がある。
【０００７】
特に、平面入力パネルを備える小型の情報携帯端末においては紛失や盗難の危険性が高いので高度なセキュリティ機能を有する認証装置が必要である。
【０００８】
従って本発明の目的は、上記問題に鑑み、各種情報処理装置への入力用のタッチパネルを有する平面入力パネルにおいて、高度なセキュリティ性を有するセキュリティパネルを提供することにある。
【課題を解決するための手段】
【０００９】
上記目的を実現するために、本発明においては、平面入力パネルにセキュリティ機能を持たせたセキュリティパネルは、図１および２に示す構成を有する。
【００１０】
図１は本発明によるセキュリティパネルの概略的な構成を示す断面図であり、図２は本発明によるセキュリティパネルの概略的な構成を示す斜視図である。以降、異なる図面において同じ参照番号が付されたものは同じ構成要素であることを意味するものとする。
【００１１】
本発明によるセキュリティパネル１は、タッチ操作面２０を有するタッチパネル１１と、タッチパネル１１の方向に画像を表示する表示手段１３と、タッチパネル１１と表示手段１３との間に配置され、表示手段１３がタッチパネル１１の方向に表示する画像を遮断可能な切替え遮蔽手段１２と、を備える。
【００１２】
また、本発明によるセキュリティパネル１は、タッチパネル１１を介して入力された情報に基づいて認証を判定する認証手段１４をさらに備える。切替え遮蔽手段１２による前述の遮断動作は、認証手段１４によって認証が得られたとき以外に実行する。
【発明の効果】
【００１３】
本発明によれば、各種情報処理装置への入力用のタッチパネルを有する平面入力パネルにおいて、高度なセキュリティ機能を有するセキュリティパネルを提供することができる。すなわち、本発明によるセキュリティパネルは、認証コードの入力というソフトウェア的なセキュリティ機能と、認証が得られない場合は切替え遮断手段によって表示手段の表示を遮断するというハードウェア的なセキュリティ機能とを同時に併せ持つことを特徴とする。
【００１４】
本発明は、特に情報携帯端末のための入力およびセキュリティ装置として非常に有効である。
【発明を実施するための最良の形態】
【００１５】
図３は、本発明の第１の実施例によるセキュリティパネルの断面図である。
【００１６】
本実施例によるセキュリティパネル１は、タッチ操作面２０を有するタッチパネル１１と、タッチパネル１１の方向に画像を表示する表示手段１３と、タッチパネル１１と表示手段１３との間に配置され、表示手段１３がタッチパネル１１の方向に表示する画像を遮断可能な切替え遮蔽手段として光の透過率を調整可能な液晶ディスプレイ１２−１と、を備える。
【００１７】
タッチパネル１１と液晶ディスプレイ１２−１との間、および、液晶ディスプレイ１２−１と表示手段１３との間については、例えば２５μｍのアクリル系透明粘着剤２１でそれぞれ貼り合わされる。
【００１８】
図１および２における切替え遮蔽手段としての図３の液晶ディスプレイ１２−１は、黒色もしくは透明に表示を切り替えることができるものとする。このように本実施例では、液晶ディスプレイ１２−１の表示色を黒色もしくは透明としたが、これ以外のものであってもよく、表示手段１３がタッチパネル１１の方向に表示する画像を遮断もしくは透過できるものであればよい。
【００１９】
タッチパネル１１は、透明導電膜をそれぞれコーティングした透明ガラス板および透明ＰＥＴフィルムからなるアナログ抵抗膜方式のタッチパネルとするが、その他の押下検出方式のタッチパネルであってもよく、例えば静電容量方式、電磁誘導方式あるいは超音波方式などであってもよい。
【００２０】
表示手段１３は、液晶ディスプレイ（ＬＣＤ）とするが、その他の表示手段であってもよく、例えば有機ＥＬ、プラズマディスプレイあるいはＣＲＴなどであってもよい。
【００２１】
図１および２を参照して説明したように、本実施例では、タッチパネル１１を介して入力された情報に基づいて認証を判定する認証手段（図３には示さず）をさらに備える。図４は、本発明の第１の実施例によるセキュリティパネルの認証前の状態を示す図であり、（ａ）はセキュリティパネルの上面図であり、（ｂ）はセキュリティパネルの分解斜視図である。また、図５は、本発明の第１の実施例によるセキュリティパネルの認証後の状態を示す図であり、（ａ）はセキュリティパネルの上面図であり、（ｂ）はセキュリティパネルの分解斜視図である。図４および５に示す例では、図４（ｂ）および５（ｂ）に示すように表示手段１３タッチパネル１１の方向に表示する画像として、適当な文字列を表示している。
【００２２】
図４に示す状態では、認証手段によって認証が得られていないので液晶ディスプレイ１２−１は黒色を表示することで、表示手段１３がタッチパネル１１の方向に対して表示する画像を遮断する。この結果、図４（ａ）に示すように、タッチパネル１１を通じては黒色の画面しか表示されていないことになり、ユーザは表示手段１３が表示する画像を目視できない。
【００２３】
認証手段によって認証が得られたときは、図５に示すように、液晶ディスプレイ１２−１はその表示が透明になり、表示手段１３がタッチパネル１１の方向に表示する画像は液晶ディスプレイ１２−１を透過し、タッチパネル１１を透過する。この結果、図５（ａ）に示すように、ユーザはタッチパネル１１上から、表示手段１３が表示する画像を目視することができる。
【００２４】
認証手段は、セキュリティパネル１が備えられる情報処理装置内の演算処理装置（図示せず）によって実現される。本実施例においては、認証処理に用いられる認証コードはサイン入力であるとする。図６は、本発明の第１の実施例によるセキュリティパネルの認証処理を説明する図であり、（ａ）は認証前の状態を示すセキュリティパネルの上面図であり、（ｂ）は認証コードとしてサインが入力されている状態を示すセキュリティパネルの上面図であり、（ｃ）は認証後の状態を示すセキュリティパネルの上面図である。図６（ａ）に示す認証前のセキュリティパネルは黒色表示であるが、図６（ｂ）に示すように認証コードであるサインをタッチ操作面上に入力すると、切替え遮断手段である液晶ディスプレイ１２−１は透明表示となり、図６（ｃ）に示すように表示手段１３が表示する画面がタッチパネルを通じて目視可能となる。図６（ｃ）では「ＬＯＧＯＮ  ＯＫ」と表示している。なお、本実施例においては、認証コードにサインを用いたが、タッチパネルを用いた入力方法であればよく、例えばタッチパネル上の所定の箇所を所定の順番で打点したり、あるいは所定のマークを描画したりすることで認証コードを得てもよい。
【００２５】
このように、本発明の第１の実施例によれば、切替え遮断手段はタッチパネルと表示手段との間に配置された液晶ディスプレイによって実現することができるので小型で薄型であり、特に情報携帯端末のための入力およびセキュリティ装置として非常に有効である。
【００２６】
本発明の第２の実施例によるセキュリティパネルでは、上述の第１の実施例における液晶ディスプレイ１２−１が、表示手段１３の表示する色と同じ色を呈することができるようにする。第２の実施例におけるタッチパネル１１、液晶ディスプレイ１２−１および表示手段１３の配置は上述の第１の実施例の場合の図３と同様である。
【００２７】
本実施例では、認証手段によって認証が得られないときの液晶ディスプレイ１２−１による遮断動作は、液晶ディスプレイ１２−１が表示手段１３の表示する色と同じ色を呈するようにし、認証手段によって認証が得られたときは、液晶ディスプレイ１２−１はその表示を透明にする。
【００２８】
液晶ディスプレイ１２−１が表示手段１３の表示する色と同じ色を呈すると、タッチパネル１１の上方から液晶ディスプレイ１２−１を介して表示手段１３を見た場合、液晶ディスプレイ１２−１の表示する色と表示手段１３の表示する色同化してしまうので、結果として、ユーザからは表示手段１３が表示する画像を目視することができなくなる。例えば、表示手段１３が赤色の文字を表示していたとき、液晶ディスプレイ１２−１が赤色を呈することになれば、ユーザは表示手段１３が表示する赤色の文字を目視することができない。
【００２９】
このように、本発明の第２の実施例によれば、第１の実施例と同様の効果を得ることができる。
【００３０】
図７は、本発明の第３の実施例によるセキュリティパネルの断面図である。
【００３１】
本実施例によるセキュリティパネル１は、タッチ操作面２０を有するタッチパネル１１と、タッチパネル１１の方向に画像を表示する表示手段１３と、タッチパネル１１のタッチ操作面２０とは反対側に配置されるハーフミラー１２−２と、表示手段１３のハーフミラー１２−２とは反対側に配置され、点灯および消灯の制御が可能なバックライト１２−３と、を備える。つまり本実施例では、図１および２を参照して説明した切替え遮断手段１２は、ハーフミラー１２−２およびバックライト１２−３からなる。
【００３２】
本実施例では、タッチパネル１１とハーフミラー１２−２との間、および、ハーフミラー１２−２と表示手段１３との間については、例えば２５μｍのアクリル系透明粘着剤２１でそれぞれ貼り合わされる。
タッチパネル１１については上述の第１の実施例において説明したとおりであるが、表示手段１３については、バックライト１２−３がタッチパネル１１方向へ発する光をある程度透過する構造を有するものに限るが、本実施例では液晶ディスプレイとする。
【００３３】
ハーフミラー１２−２は、本実施例では、ＰＥＴフィルムにアルミを蒸着して光の透過率を約３０％程度としたものとする。
【００３４】
本実施例では、認証手段によって認証が得られないときはバックライト１２−３を消灯して画像の透過を遮断し、認証手段によって認証が得られたときはバックライト１２−３を点灯する。
【００３５】
バックライト１２−３が消灯すると、表示手段１３の画像は暗く表示されることになり、表示手段１３の画像はハーフミラー１２−２を透過することができない。この結果、ユーザは表示手段１３が表示する画像をタッチパネル１１を通じて目視することができない。一方、バックライト１２−３が点灯すると、表示手段１３の画像は明るく表示されることになり、表示手段１３の画像はハーフミラー１２−２を透過してタッチパネル１１に達する。この結果、ユーザは表示手段１３が表示する画像をタッチパネル１１を通じて目視することができる。
【００３６】
このように、本発明の第３の実施例によれば、第１の実施例と同様の効果を得ることができる。
【００３７】
続いて本発明の実施例の変形例を説明する。
【００３８】
本発明の実施例の第１の変形例では、上述した切替え遮蔽手段による遮断動作を、表示手段に対面する切替え遮蔽手段の平面上の所定のエリアで実行する。図８は、本発明の実施例の第１の変形例によるセキュリティパネルの認証処理を説明する図であり、（ａ）は認証前の状態を示すセキュリティパネルの上面図であり、（ｂ）および（ｄ）は認証コードとしてサインが入力されている状態を示すセキュリティパネルの上面図であり、（ｃ）および（ｅ）は認証後の状態を示すセキュリティパネルの上面図である。
【００３９】
ここでは、第１の変形例を上述した第１の実施例に適用した場合を説明する。
【００４０】
本変形例では、第１の実施例の切替え遮蔽手段である液晶ディスプレイ１２−１の表示エリアを複数に分割してドットマトリクス構造とすることで、一部のエリアのみ透明にして残りのエリアを黒色表示することができるようにする。そして、認証コードに応じて液晶ディスプレイ１２−１が透明になるエリアを変更する。
【００４１】
図８（ａ）に例示する認証前のセキュリティパネルは黒色表示であるが、図８（ｂ）に示すように管理者の認証コードであるサインを入力すると、切替え遮断手段である液晶ディスプレイ１２−１上の全エリアは透明表示となり、図８（ｃ）に示すように表示手段１３が表示する画面上の全エリアがタッチパネルを通じて目視可能となる。図６（ｃ）では「管理者権限  ＯＫ」と表示している。一方、図８（ａ）に示す認証前のセキュリティパネルに、図８（ｄ）に示すように一般のユーザの認証コードであるサインをタッチ操作面２０上に入力すると、切替え遮断手段である液晶ディスプレイ１２−１上の一部のエリアのみが透明表示となり、図８（ｅ）に示すように表示手段１３が表示する画面上の一部のエリアがタッチパネルを通じて目視可能となる。なお、本変形例においては、認証コードにサインを用いたが、タッチパネルを用いた入力方法であればよく、例えばタッチパネル上の所定の箇所を所定の順番で打点したり、あるいは所定のマークを描画したりすることで認証コードを得てもよい。
【００４２】
このように、本変形例によればセキュリティパネルの利用者に応じて、すなわち認証コードに応じて、目視可能なエリアを変更することが可能である。なお、本変形例を上述の第２あるいは第３の実施例に適用することも可能である。本変形例を第２の実施例に適用する場合は、液晶ディスプレイ１２−１が表示手段１３の表示する色と同じ色を呈するエリアを特定できるようにすればよい。また、本変形例を第３の実施例に適用する場合は、バックライト１２−３の光源を複数設け、この光源ごとに点灯および消灯の制御できるようにすればよい。あるいはハーフミラー１２−２の光の透過率をハーフミラー１２−２一面にわたって同じにするのではなく、エリアによって変えてもよい。
【００４３】
本発明の実施例の第２の変形例では、上述の切替え遮蔽手段の一部のエリアを常に透明とし、このエリアを認証のための情報が入力される専用エリアとする。
【００４４】
図９は、本発明の第２の変形例におけるセキュリティパネルの分解斜視図である。
【００４５】
ここでは、第２の変形例を上述した第１の実施例に適用した場合を説明する。
【００４６】
本変形例では、第１の実施例の切替え遮蔽手段である液晶ディスプレイ１２−１の一部のエリアを常に透明とし、このエリアを認証コードが入力される認証エリア３１とする。一部のエリアを詰めに透明にした液晶ディスプレイ１２−１はは、上述の第１の実施例と同様、タッチパネル１１と表示手段１３との間に配置される。
【００４７】
図１０は、本発明の実施例の第２の変形例によるセキュリティパネルの認証処理を説明する図であり、（ａ）は認証前の状態を示すセキュリティパネルの上面図であり、（ｂ）は認証コードとしてサインが入力されている状態を示すセキュリティパネルの上面図であり、（ｃ）は認証後の状態を示すセキュリティパネルの上面図である。
【００４８】
図１０（ａ）に示す認証前のセキュリティパネルは、認証エリア３１を除き黒色表示である。このとき、認証エリア３１に対面する表示手段１３上のエリアに「認証サインを入力してください」といったような認証コードの入力を促す表示をさせてもよい。図１０（ｂ）に示すようにタッチ操作面２０上の認証エリア３１に認証コードであるサインを入力すると、切替え遮断手段である液晶ディスプレイ１２−１は全面が透明表示となり、図１０（ｃ）に示すように表示手段１３が表示する画面がタッチパネルを通じて目視可能となる。図１０（ｃ）では「ＬＯＧＯＮ  ＯＫ」と表示している。なお、本実施例においては、認証コードにサインを用いたが、例えば認証エリア３１上の所定の箇所を所定の順番で打点したり、あるいは所定のマークを描画したりすることで認証コードを得てもよい。またあるいは、認証エリア３１に対面する表示手段１３上のエリアに例えば複数の数字、文字もしくはそれらの組合せを表示し、ユーザに対して数字、文字もしくはそれらの組合せを所定の順番で打点させるような、いわゆるパスワード認証を促すようにしてもよい。
【００４９】
このように、本発明の第２の変形例によれば、認証コードを入力すべきエリアがユーザに対して明確に指示されるので本発明のセキュリティパネルをより利用しやすくなる。なお、本変形例を上述の第２あるいは第３の実施例に適用することも可能である。本変形例を第２の実施例に適用する場合は、第１の実施例に適用する場合と同様である。また、本変形例を第３の実施例に適用する場合は、ハーフミラー１２−２の光の透過率をハーフミラー１２−２一面にわたって同じにするのではなく、一部のエリアについてはハーフミラー構造にせずに単なる透明パネルで実現すればよい。
【００５０】
本発明の実施例の第３の変形例では、上述の第２の変形例のように認証コードを入力すべきエリアを明確にするために、タッチパネル上に、認証のための情報が入力される専用エリアを有する。
【００５１】
図１１は、本発明の実施例の第３の変形例におけるセキュリティパネルの分解斜視図である。
【００５２】
ここでは、第３の変形例を上述した第１の実施例に適用した場合を説明する。
【００５３】
本変形例では、タッチパネル１１のタッチ操作面２０の表面に、認証コードを入力すべきエリアを明示した認証エリア３１をスクリーン印刷法で印刷しておく。すなわち、認証エリア３１を画定する枠を印刷しておき、ユーザに対してこの枠内にサイン入力を促すようにする。この代替例として、認証エリア３１として例えば複数の数字、文字もしくはそれらの組合せを予め印刷しておき、ユーザに対して数字、文字もしくはそれらの組合せを所定の順番で打点させるような、いわゆるパスワード認証を促すようにしてもよい。
【００５４】
なお、認証エリア３１の表示は、スクリーン印刷法以外に、例えばインクを用いた方法や、レーザ刻印による方法でもよい。認証エリア３１の表示は、タッチパネル１１のタッチ操作面２０の表面ではなく、タッチ操作面２０の裏面、あるいはタッチパネル１１がアナログ抵抗膜方式である場合は上下の透明導電膜に挟まれた間の面のいずれかに設けてもよい。また、本変形例を、上述のように第１の実施例に適用したように第２あるいは第３の実施例に適用することも可能である。
【００５５】
このように、第３の変形例によれば、第２の変形例と同様の効果を得ることができる。
【００５６】
本発明の実施例の第４の変形例では、上述の第１および第２の変形例のように認証コードを入力すべきエリアを明確にするために、タッチパネルと切替え遮断手段との間に配置される、認証のための情報が入力される専用エリアが示されたアイコンシートをさらに備える。
【００５７】
図１２は、本発明の実施例の第４の変形例におけるセキュリティパネルの分解斜視図である。
【００５８】
ここでは、第４の変形例を上述した第１の実施例に適用した場合を説明する。
【００５９】
本変形例では、タッチパネル１１と液晶ディスプレイ１２−１との間に配置される、認証コードが入力される認証エリア３１が示されたアイコンシート３２をさらに備える。すなわち、本変形例は、上述の第３の変形例において説明したタッチパネル１１の表面に印刷された表示に代えて、透明ＰＥＴフィルムに認証エリア３１を印刷したアイコンシート３２を、タッチパネル１１と液晶ディスプレイ１２−１との間に配置してセキュリティパネルの製造の簡単化およびコストダウンを図ったものである。アイコンシート３２として用いる透明ＰＥＴフィルムの厚さは例えば１００μｍとする。
【００６０】
本発明によるセキュリティパネルは、タッチパネル、パネル形状の切替え遮蔽手段、および表示手段を重ね合わせた構造を有するので薄型である。このため、切替え遮蔽手段を表示手段から手動で剥がすのは困難であるが、切替え遮蔽手段と表示手段とがアクリル系粘着剤を用いて貼り付けられている場合は、適当な溶剤を用いれば切替え遮蔽手段と表示手段とを剥がすことはできるので、認証されない第三者も画像を見る危険性がある。本発明の第５の変形例によるセキュリティパネルは、このような問題に対処するものであり、切替え遮蔽手段の異常を検知する検知手段と、検知手段が切替え遮蔽手段の異常を検知したとき、表示手段による画像の表示を禁止する禁止手段と、をさらに備える。
【００６１】
図１３は、本発明の第５の変形例によるセキュリティパネルの動作を示すフローチャートである。
【００６２】
セキュリティパネルの動作が開始すると、まず、ステップＳ１０１において、切替え遮断手段による遮断動作が実行される。
【００６３】
ステップＳ１０２において認証コードが入力されると、ステップＳ１０３において、認証処理が実行される。
【００６４】
ステップＳ１０３の照合の結果、認証が得られるとステップＳ１０４へ進む。
【００６５】
ステップＳ１０４では、切替え遮断手段による遮断動作が停止される。
【００６６】
次いで、ステップＳ１０５において、同期信号の動作が正常か否かが判定される。正常であると判定されるとステップＳ１０６へ進み、表示手段による表示動作が実行される。正常ではないと判定されるとステップＳ１０７へ進み、表示手段威容Ｒ表示動作が停止される。
【００６７】
本実施例によれば、切替え遮蔽手段に異常が発生した場合、表示手段による画像の表示はされないので安全である。
【００６８】
本発明の実施例の第６の変形例は、タッチパネル、切替え遮蔽手段および表示手段は相互分離不能に一体形成したものである。
【００６９】
図１４は、本発明の第６の変形例によるセキュリティパネルの断面図である。
【００７０】
タッチパネル１は、タッチ操作面２０とは反対側の面が透明導電膜でコーティングされたＩＴＯフィルム４１と、ＩＴＯフィルム４１に対面する面が透明導電膜でコーティングされた透明な第１のガラス基板４２−１とを備える。ＩＴＯフィルム４１と第１のガラス基板４２−１とは所定の間隔を持って支持部材５１によって支持されてアナログ抵抗膜方式のタッチパネルが構成される。
【００７１】
第１のガラス基板４２−１と第２のガラス基板４２−２との間には液晶４３−１が注入されて封入材５２によって封入される。これにより切替え遮蔽手段の機能を有する液晶ディスプレイが構成される。
【００７２】
第２のガラス基板４２−２と第３のガラス基板４２−３との間には液晶４３−２が注入されて封入材５２によって封入される。これにより表示手段の機能を有する液晶ディスプレイが構成される。
【００７３】
このように、タッチパネル、切替え遮蔽手段および表示手段を相互分離不能に一体形成すれば、例えば第２のガラス基板４２−２と第３のガラス基板４２−３とを無理に剥がすと、封入材５２が壊れて内部の液晶４３−２が漏れて液晶ディスプレイの機能は失われる。したがって、本変形例によれば分解による不正使用を防止することができる。また、セキュリティパネル自体もより一層薄くすることができる。
【００７４】
なお、上述した第１〜第６の変形例は適宜組み合わせて第１〜第３の実施例に適用してもよい。
【産業上の利用可能性】
【００７５】
本発明によれば、各種情報処理装置への入力用のタッチパネルを有する平面入力パネルにおいて、セキュリティ性が高いセキュリティパネルを提供することができる。
【００７６】
ＰＤＡなどの情報携帯端末、銀行のＡＴＭ、切符の自動券売機や自動精算機など、装置本体に体積的制限がある小型もしくは薄型の情報処理装置や、幅広い層のユーザに使用される機会を有する情報処理装置におけるの平面入力パネルに対するセキュリティ装置として有効である。
【図面の簡単な説明】
【００７７】
【図１】本発明によるセキュリティパネルの概略的な構成を示す断面図である。
【図２】本発明によるセキュリティパネルの概略的な構成を示す斜視図である。
【図３】本発明の第１の実施例によるセキュリティパネルの断面図である。
【図４】本発明の第１の実施例によるセキュリティパネルの認証前の状態を示す図であり、（ａ）はセキュリティパネルの上面図であり、（ｂ）はセキュリティパネルの分解斜視図である。
【図５】本発明の第１の実施例によるセキュリティパネルの認証後の状態を示す図であり、（ａ）はセキュリティパネルの上面図であり、（ｂ）はセキュリティパネルの分解斜視図である。
【図６】本発明の第１の実施例によるセキュリティパネルの認証処理を説明する図であり、（ａ）は認証前の状態を示すセキュリティパネルの上面図であり、（ｂ）は認証コードとしてサインが入力されている状態を示すセキュリティパネルの上面図であり、（ｃ）は認証後の状態を示すセキュリティパネルの上面図である。
【図７】本発明の第３の実施例によるセキュリティパネルの断面図である。
【図８】本発明の実施例の第１の変形例によるセキュリティパネルの認証処理を説明する図であり、（ａ）は認証前の状態を示すセキュリティパネルの上面図であり、（ｂ）および（ｄ）は認証コードとしてサインが入力されている状態を示すセキュリティパネルの上面図であり、（ｃ）および（ｅ）は認証後の状態を示すセキュリティパネルの上面図である。
【図９】本発明の実施例の第２の変形例におけるセキュリティパネルの分解斜視図である。
【図１０】本発明の実施例の第２の変形例によるセキュリティパネルの認証処理を説明する図であり、（ａ）は認証前の状態を示すセキュリティパネルの上面図であり、（ｂ）は認証コードとしてサインが入力されている状態を示すセキュリティパネルの上面図であり、（ｃ）は認証後の状態を示すセキュリティパネルの上面図である。
【図１１】本発明の実施例の第３の変形例におけるセキュリティパネルの分解斜視図である。
【図１２】本発明の実施例の第４の変形例におけるセキュリティパネルの分解斜視図である。
【図１３】本発明の第５の変形例によるセキュリティパネルの動作を示すフローチャートである。
【図１４】本発明の第６の変形例によるセキュリティパネルの断面図である。
【符号の説明】
【００７８】
１…セキュリティパネル
１１…タッチパネル
１２…切替え遮蔽手段
１２−１…液晶ディスプレイ
１２−２…ハーフミラー
１２−３…バックライト
１３…表示手段
２０…タッチ操作面
２１…アクリル系透明粘着剤
３１…認証エリア
３２…アイコンシート
４１…ＩＴＯフィルム
４２−１…第１のガラス基板
４２−２…第２のガラス基板
４２−３…第３のガラス基板
４３−１、４３−２…液晶
５１…支持部材
５２…封入材
【図１】
2005189991.tif 000003
【図２】
2005189991.tif 000004
【図３】
2005189991.tif 000005
【図４】
2005189991.tif 000006
【図５】
2005189991.tif 000007
【図６】
2005189991.tif 000008
【図７】
2005189991.tif 000009
【図８】
2005189991.tif 000010
【図９】
2005189991.tif 000011
【図１０】
2005189991.tif 000012
【図１１】
2005189991.tif 000013
【図１２】
2005189991.tif 000014
【図１３】
2005189991.tif 000015
【図１４】
2005189991.tif 000016